【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
画像データを記録する記録媒体から画像データを読み取る画像データ読み取り手段と、
前記画像データ読み取り手段により読み取られた画像データの識別情報を表示するよう制御する識別情報表示制御手段と、
特定の絞り込み条件に基づいて画像データの絞り込みを行う絞り込み手段と、
既に選択された画像データがある場合に前記絞り込み手段による絞り込みが行われた場合は、前記特定の絞り込み条件に一致する画像データの識別情報と前記既に選択された画像データの識別情報との双方を表示するよう制御する絞り込み結果表示制御手段とを有することを特徴とする画像検索装置。
【請求項２】
画像データを記録する記録媒体から画像データを読み取る画像データ読み取り手段と、
前記画像データ読み取り手段により読み取られた画像データのデータリストを生成するデータリスト生成手段と、
特定の絞り込み条件に基づいて画像データの絞り込みを行う絞り込み手段と、
既に選択された画像データがある場合に前記絞り込み手段による絞り込みが行われた場合は、前記特定の絞り込み条件に一致する画像データと前記既に選択された画像データとの双方を含むリストを生成する絞り込みリスト生成手段とを有することを特徴とする画像検索装置。
【請求項３】
画像データを記録する記録媒体から画像データを読み取る画像データ読み取り手段と、
前記画像データ読み取り手段により読み取られた画像データの識別情報を表示するよう制御する識別情報表示制御手段と、
特定の絞り込み条件に基づいて画像データの絞り込みを行う絞り込み手段と、
少なくとも前記絞り込み手段によって絞り込んだ結果の画像データの識別情報を表示するよう制御する絞り込み結果表示制御手段とを有し、
前記絞り込み結果表示制御手段は、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加した画像データの識別情報を表示するよう制御することを特徴とする画像検索装置。
【請求項４】
画像データを記録する記録媒体から画像データを読み取る画像データ読み取り手段と、
前記画像データ読み取り手段により読み取られた画像データのデータリストを生成するデータリスト生成手段と、
特定の絞り込み条件に基づいて画像データの絞り込みを行う絞り込み手段と、
少なくとも前記絞り込み手段によって絞り込んだ結果の画像データのリストを生成する絞り込みリスト生成手段とを有し、
前記絞り込みリスト生成手段は、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加したリストを生成することを特徴とする画像検索装置。
【請求項５】
前記識別情報表示制御手段によって表示するよう制御すべき画像データのデータリストを生成するデータリスト生成手段と、
前記絞り込み結果表示制御手段によって表示するよう制御すべき画像データのリストを生成する絞り込みリスト生成手段とを更に有することを特徴とする請求項１又は３に記載の画像検索装置。
【請求項６】
前記絞り込みリスト生成手段によって生成されたリストを外部装置に対して通知し、前記リストのうち前記外部装置により保存対象とされた画像データを前記外部装置に対して送信する送信手段を更に有することを特徴とする請求項２、４、５の何れか１項に記載の画像検索装置。
【請求項７】
絞り込み条件の設定を指示するための指示手段を更に有し、
前記指示手段への入力操作に応じて、絞り込み条件の変更が可能となることを特徴とする請求項１乃至４の何れか１項に記載の画像検索装置。
【請求項８】
前記画像データを選択する選択手段を更に有することを特徴とする請求項１又は２に記載の画像検索装置
【請求項９】
画像データを出力するよう制御する出力制御手段を更に有し、
前記既に選択された画像データは、前記出力制御手段によって出力すべき画像データとして選択されたものであることを特徴とする請求項１又は２に記載の画像検索装置。
【請求項１０】
画像検索装置による画像検索方法であって、
画像データを記録する記録媒体から画像データを読み取る画像データ読み取りステップと、
前記画像データ読み取りステップにより読み取られた画像データの識別情報を表示するよう制御する識別情報表示制御ステップと、
特定の絞り込み条件に基づいて画像データの絞り込みを行う絞り込みステップと、
既に選択された画像データがある場合に前記絞り込みステップによる絞り込みが行われた場合は、前記特定の絞り込み条件に一致する画像データの識別情報と前記既に選択された画像データの識別情報との双方を表示するよう制御する絞り込み結果表示制御ステップとを含むことを特徴とする画像検索方法。
【請求項１１】
画像検索装置による画像検索方法であって、
画像データを記録する記録媒体から画像データを読み取る画像データ読み取りステップと、
前記画像データ読み取りステップにより読み取られた画像データのデータリストを生成するデータリスト生成ステップと、
特定の絞り込み条件に基づいて画像データの絞り込みを行う絞り込みステップと、
既に選択された画像データがある場合に前記絞り込みステップによる絞り込みが行われた場合は、前記特定の絞り込み条件に一致する画像データと前記既に選択された画像データとの双方を含むリストを生成する絞り込みリスト生成ステップとを含むことを特徴とする画像検索方法。
【請求項１２】
画像検索装置による画像検索方法であって、
画像データを記録する記録媒体から画像データを読み取る画像データ読み取りステップと、
前記画像データ読み取りステップにより読み取られた画像データの識別情報を表示するよう制御する識別情報表示制御ステップと、
特定の絞り込み条件に基づいて画像データの絞り込みを行う絞り込みステップと、
少なくとも前記絞り込みステップによって絞り込んだ結果の画像データの識別情報を表示するよう制御する絞り込み結果表示制御ステップとを含み、
前記絞り込み結果表示制御ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加した画像データの識別情報を表示するよう制御することを特徴とする画像検索方法。
【請求項１３】
画像検索装置による画像検索方法であって、
画像データを記録する記録媒体から画像データを読み取る画像データ読み取りステップと、
前記画像データ読み取りステップにより読み取られた画像データのデータリストを生成するデータリスト生成ステップと、
特定の絞り込み条件に基づいて画像データの絞り込みを行う絞り込みステップと、
少なくとも前記絞り込みステップによって絞り込んだ結果の画像データのリストを生成する絞り込みリスト生成ステップとを含み、
前記絞り込みリスト生成ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加したリストを生成することを特徴とする画像検索方法。
【請求項１４】
画像データを記録する記録媒体から画像データを読み取る画像データ読み取りステップと、
前記画像データ読み取りステップにより読み取られた画像データの識別情報を表示するよう制御する識別情報表示制御ステップと、
特定の絞り込み条件に基づいて画像データの絞り込みを行う絞り込みステップと、
既に選択された画像データがある場合に前記絞り込みステップによる絞り込みが行われた場合は、前記特定の絞り込み条件に一致する画像データの識別情報と前記既に選択された画像データの識別情報との双方を表示するよう制御する絞り込み結果表示制御ステップとをコンピュータに実行させるためのプログラム。
【請求項１５】
画像データを記録する記録媒体から画像データを読み取る画像データ読み取りステップと、
前記画像データ読み取りステップにより読み取られた画像データのデータリストを生成するデータリスト生成ステップと、
特定の絞り込み条件に基づいて画像データの絞り込みを行う絞り込みステップと、
既に選択された画像データがある場合に前記絞り込みステップによる絞り込みが行われた場合は、前記特定の絞り込み条件に一致する画像データと前記既に選択された画像データの双方を含むリストを生成する絞り込みリスト生成ステップとをコンピュータに実行させるためのプログラム。
【請求項１６】
画像データを記録する記録媒体から画像データを読み取る画像データ読み取りステップと、
前記画像データ読み取りステップにより読み取られた画像データの識別情報を表示するよう制御する識別情報表示制御ステップと、
特定の絞り込み条件に基づいて画像データの絞り込みを行う絞り込みステップと、
少なくとも前記絞り込みステップによって絞り込んだ結果の画像データの識別情報を表示するよう制御する絞り込み結果表示制御ステップとをコンピュータに実行させ、
前記絞り込み結果表示制御ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加した画像データの識別情報を表示するよう制御することを特徴とするプログラム。
【請求項１７】
画像データを記録する記録媒体から画像データを読み取る画像データ読み取りステップと、
前記画像データ読み取りステップにより読み取られた画像データのデータリストを生成するデータリスト生成ステップと、
特定の絞り込み条件に基づいて画像データの絞り込みを行う絞り込みステップと、
少なくとも前記絞り込みステップによって絞り込んだ結果の画像データのリストを生成する絞り込みリスト生成ステップとをコンピュータに実行させ、
前記絞り込みリスト生成ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加したリストを生成することを特徴とするプログラム。
【請求項１８】
画像データを記録する記録媒体から画像データを読み取る画像データ読み取りステップと、
前記画像データ読み取りステップにより読み取られた画像データの識別情報を表示するよう制御する識別情報表示制御ステップと、
特定の絞り込み条件に基づいて画像データの絞り込みを行う絞り込みステップと、
既に選択された画像データがある場合に前記絞り込みステップによる絞り込みが行われた場合は、前記特定の絞り込み条件に一致する画像データの識別情報と前記既に選択された画像データの識別情報との双方を表示するよう制御する絞り込み結果表示制御ステップとをコンピュータに実行させるためのプログラムを記録したコンピュータ読み取り可能な記録媒体。
【請求項１９】
画像データを記録する記録媒体から画像データを読み取る画像データ読み取りステップと、
前記画像データ読み取りステップにより読み取られた画像データのデータリストを生成するデータリスト生成ステップと、
特定の絞り込み条件に基づいて画像データの絞り込みを行う絞り込みステップと、
既に選択された画像データがある場合に前記絞り込みステップによる絞り込みが行われた場合は、前記特定の絞り込み条件に一致する画像データと前記既に選択された画像データとの双方を含むリストを生成する絞り込みリスト生成ステップとをコンピュータに実行させるためのプログラムを記録したコンピュータ読み取り可能な記録媒体。
【請求項２０】
画像データを記録する記録媒体から画像データを読み取る画像データ読み取りステップと、
前記画像データ読み取りステップにより読み取られた画像データの識別情報を表示するよう制御する識別情報表示制御ステップと、
特定の絞り込み条件に基づいて画像データの絞り込みを行う絞り込みステップと、
少なくとも前記絞り込みステップによって絞り込んだ結果の画像データの識別情報を表示するよう制御する絞り込み結果表示制御ステップとをコンピュータに実行させ、
前記絞り込み結果表示制御ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加した画像データの識別情報を表示するよう制御することを特徴とするプログラムを記録したコンピュータ読み取り可能な記録媒体。
【請求項２１】
画像データを記録する記録媒体から画像データを読み取る画像データ読み取りステップと、
前記画像データ読み取りステップにより読み取られた画像データのデータリストを生成するデータリスト生成ステップと、
特定の絞り込み条件に基づいて画像データの絞り込みを行う絞り込みステップと、
少なくとも前記絞り込みステップによって絞り込んだ結果の画像データのリストを生成する絞り込みリスト生成ステップとをコンピュータに実行させ、
前記絞り込みリスト生成ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加したリストを生成することを特徴とするプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像検索装置及び画像検索方法
【手続補正３】
【補正対象書類名】明細書
【補正対象項目名】０００１
【補正方法】変更
【補正の内容】
【０００１】
本発明は、例えばＰＣカード等の記録媒体から読み込まれる画像データのデータリストを生成し、そのデータリストの絞り込みが可能な技術に関するものである。
【手続補正４】
【補正対象書類名】明細書
【補正対象項目名】００１５
【補正方法】変更
【補正の内容】
【００１５】
そこで、本発明の目的は、画像データの絞り込み後においても、絞り込まれた画像データに係る情報とともに既に選択された画像データに係る情報を提示対象とすることにある。
また、本発明の目的は、第１の絞り込みの結果の画像データに係る情報に、第１の絞り込みとは別の絞り込み条件による第２の絞り込み結果の画像データに係る情報を追加して提示することにある。
【手続補正５】
【補正対象書類名】明細書
【補正対象項目名】００１６
【補正方法】変更
【補正の内容】
【００１６】
本発明の画像検索装置の第１の態様は、画像データを記録する記録媒体から画像データを読み取る画像データ読み取り手段と、前記画像データ読み取り手段により読み取られた画像データの識別情報を表示するよう制御する識別情報表示制御手段と、特定の絞り込み条件に基づいて画像データの絞り込みを行う絞り込み手段と、既に選択された画像データがある場合に前記絞り込み手段による絞り込みが行われた場合は、前記特定の絞り込み条件に一致する画像データの識別情報と前記既に選択された画像データの識別情報との双方を表示するよう制御する絞り込み結果表示制御手段とを有することを特徴とする。
本発明の画像検索装置の第２の態様は、画像データを記録する記録媒体から画像データを読み取る画像データ読み取り手段と、前記画像データ読み取り手段により読み取られた画像データのデータリストを生成するデータリスト生成手段と、特定の絞り込み条件に基づいて画像データの絞り込みを行う絞り込み手段と、既に選択された画像データがある場合に前記絞り込み手段による絞り込みが行われた場合は、前記特定の絞り込み条件に一致する画像データと前記既に選択された画像データとの双方を含むリストを生成する絞り込みリスト生成手段とを有することを特徴とする。
本発明の画像検索装置の第３の態様は、画像データを記録する記録媒体から画像データを読み取る画像データ読み取り手段と、前記画像データ読み取り手段により読み取られた画像データの識別情報を表示するよう制御する識別情報表示制御手段と、特定の絞り込み条件に基づいて画像データの絞り込みを行う絞り込み手段と、少なくとも前記絞り込み手段によって絞り込んだ結果の画像データの識別情報を表示するよう制御する絞り込み結果表示制御手段とを有し、前記絞り込み結果表示制御手段は、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加した画像データの識別情報を表示するよう制御することを特徴とする。
本発明の画像検索装置の第４の態様は、画像データを記録する記録媒体から画像データを読み取る画像データ読み取り手段と、前記画像データ読み取り手段により読み取られた画像データのデータリストを生成するデータリスト生成手段と、特定の絞り込み条件に基づいて画像データの絞り込みを行う絞り込み手段と、少なくとも前記絞り込み手段によって絞り込んだ結果の画像データのリストを生成する絞り込みリスト生成手段とを有し、前記絞り込みリスト生成手段は、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加したリストを生成することを特徴とする。
本発明の画像検索方法の第１の態様は、画像検索装置による画像検索方法であって、画像データを記録する記録媒体から画像データを読み取る画像データ読み取りステップと、前記画像データ読み取りステップにより読み取られた画像データの識別情報を表示するよう制御する識別情報表示制御ステップと、特定の絞り込み条件に基づいて画像データの絞り込みを行う絞り込みステップと、既に選択された画像データがある場合に前記絞り込みステップによる絞り込みが行われた場合は、前記特定の絞り込み条件に一致する画像データの識別情報と前記既に選択された画像データの識別情報との双方を表示するよう制御する絞り込み結果表示制御ステップとを含むことを特徴とする。
本発明の画像検索方法の第２の態様は、画像検索装置による画像検索方法であって、画像データを記録する記録媒体から画像データを読み取る画像データ読み取りステップと、前記画像データ読み取りステップにより読み取られた画像データのデータリストを生成するデータリスト生成ステップと、特定の絞り込み条件に基づいて画像データの絞り込みを行う絞り込みステップと、既に選択された画像データがある場合に前記絞り込みステップによる絞り込みが行われた場合は、前記特定の絞り込み条件に一致する画像データと前記既に選択された画像データとの双方を含むリストを生成する絞り込みリスト生成ステップとを含むことを特徴とする。
本発明の画像検索方法の第３の態様は、画像検索装置による画像検索方法であって、画像データを記録する記録媒体から画像データを読み取る画像データ読み取りステップと、前記画像データ読み取りステップにより読み取られた画像データの識別情報を表示するよう制御する識別情報表示制御ステップと、特定の絞り込み条件に基づいて画像データの絞り込みを行う絞り込みステップと、少なくとも前記絞り込みステップによって絞り込んだ結果の画像データの識別情報を表示するよう制御する絞り込み結果表示制御ステップとを含み、前記絞り込み結果表示制御ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加した画像データの識別情報を表示するよう制御することを特徴とする。
本発明の画像検索方法の第４の態様は、画像検索装置による画像検索方法であって、画像データを記録する記録媒体から画像データを読み取る画像データ読み取りステップと、前記画像データ読み取りステップにより読み取られた画像データのデータリストを生成するデータリスト生成ステップと、特定の絞り込み条件に基づいて画像データの絞り込みを行う絞り込みステップと、少なくとも前記絞り込みステップによって絞り込んだ結果の画像データのリストを生成する絞り込みリスト生成ステップとを含み、前記絞り込みリスト生成ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加したリストを生成することを特徴とする。
本発明のプログラムの第１の態様は、画像データを記録する記録媒体から画像データを読み取る画像データ読み取りステップと、前記画像データ読み取りステップにより読み取られた画像データの識別情報を表示するよう制御する識別情報表示制御ステップと、特定の絞り込み条件に基づいて画像データの絞り込みを行う絞り込みステップと、既に選択された画像データがある場合に前記絞り込みステップによる絞り込みが行われた場合は、前記特定の絞り込み条件に一致する画像データの識別情報と前記既に選択された画像データの識別情報との双方を表示するよう制御する絞り込み結果表示制御ステップとをコンピュータに実行させることを特徴とする。
本発明のプログラムの第２の態様は、画像データを記録する記録媒体から画像データを読み取る画像データ読み取りステップと、前記画像データ読み取りステップにより読み取られた画像データのデータリストを生成するデータリスト生成ステップと、特定の絞り込み条件に基づいて画像データの絞り込みを行う絞り込みステップと、既に選択された画像データがある場合に前記絞り込みステップによる絞り込みが行われた場合は、前記特定の絞り込み条件に一致する画像データと前記既に選択された画像データの双方を含むリストを生成する絞り込みリスト生成ステップとをコンピュータに実行させることを特徴とする。
本発明のプログラムの第３の態様は、画像データを記録する記録媒体から画像データを読み取る画像データ読み取りステップと、前記画像データ読み取りステップにより読み取られた画像データの識別情報を表示するよう制御する識別情報表示制御ステップと、特定の絞り込み条件に基づいて画像データの絞り込みを行う絞り込みステップと、少なくとも前記絞り込みステップによって絞り込んだ結果の画像データの識別情報を表示するよう制御する絞り込み結果表示制御ステップとをコンピュータに実行させ、前記絞り込み結果表示制御ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加した画像データの識別情報を表示するよう制御することを特徴とする。
本発明のプログラムの第４の態様は、画像データを記録する記録媒体から画像データを読み取る画像データ読み取りステップと、前記画像データ読み取りステップにより読み取られた画像データのデータリストを生成するデータリスト生成ステップと、特定の絞り込み条件に基づいて画像データの絞り込みを行う絞り込みステップと、少なくとも前記絞り込みステップによって絞り込んだ結果の画像データのリストを生成する絞り込みリスト生成ステップとをコンピュータに実行させ、前記絞り込みリスト生成ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加したリストを生成することを特徴とする。
本発明のコンピュータ読み取り可能な記録媒体の第１の態様は、画像データを記録する記録媒体から画像データを読み取る画像データ読み取りステップと、前記画像データ読み取りステップにより読み取られた画像データの識別情報を表示するよう制御する識別情報表示制御ステップと、特定の絞り込み条件に基づいて画像データの絞り込みを行う絞り込みステップと、既に選択された画像データがある場合に前記絞り込みステップによる絞り込みが行われた場合は、前記特定の絞り込み条件に一致する画像データの識別情報と前記既に選択された画像データの識別情報との双方を表示するよう制御する絞り込み結果表示制御ステップとをコンピュータに実行させるためのプログラムを記録したことを特徴とする。
本発明のコンピュータ読み取り可能な記録媒体の第２の態様は、画像データを記録する記録媒体から画像データを読み取る画像データ読み取りステップと、前記画像データ読み取りステップにより読み取られた画像データのデータリストを生成するデータリスト生成ステップと、特定の絞り込み条件に基づいて画像データの絞り込みを行う絞り込みステップと、既に選択された画像データがある場合に前記絞り込みステップによる絞り込みが行われた場合は、前記特定の絞り込み条件に一致する画像データと前記既に選択された画像データとの双方を含むリストを生成する絞り込みリスト生成ステップとをコンピュータに実行させるためのプログラムを記録したことを特徴とする。
本発明のコンピュータ読み取り可能な記録媒体の第３の態様は、画像データを記録する記録媒体から画像データを読み取る画像データ読み取りステップと、前記画像データ読み取りステップにより読み取られた画像データの識別情報を表示するよう制御する識別情報表示制御ステップと、特定の絞り込み条件に基づいて画像データの絞り込みを行う絞り込みステップと、少なくとも前記絞り込みステップによって絞り込んだ結果の画像データの識別情報を表示するよう制御する絞り込み結果表示制御ステップとをコンピュータに実行させ、前記絞り込み結果表示制御ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加した画像データの識別情報を表示するよう制御することを特徴とするプログラムを記録したことを特徴とする。
本発明のコンピュータ読み取り可能な記録媒体の第４の態様は、画像データを記録する記録媒体から画像データを読み取る画像データ読み取りステップと、前記画像データ読み取りステップにより読み取られた画像データのデータリストを生成するデータリスト生成ステップと、特定の絞り込み条件に基づいて画像データの絞り込みを行う絞り込みステップと、少なくとも前記絞り込みステップによって絞り込んだ結果の画像データのリストを生成する絞り込みリスト生成ステップとをコンピュータに実行させ、前記絞り込みリスト生成ステップは、画像データに対する第１の絞り込みを行った後、前記第１の絞り込みとは別の絞り込み条件で画像データに対する第２の絞り込みが行われた場合、前記第１の絞り込みの結果の画像データに前記第２の絞り込みの絞り込み条件に一致する画像データを追加したリストを生成することを特徴とするプログラムを記録したことを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
本発明によれば、画像データの絞り込み後においても、絞り込まれた画像データに係る情報とともに既に選択された画像データに係る情報を提示対象とすることが可能となる。
また、本発明によれば、第１の絞り込みの結果の画像データに係る情報に、第１の絞り込みとは別の絞り込み条件による第２の絞り込み結果の画像データに係る情報を追加して提示することが可能となる。